(57)【要約】      （修正有）【課題】ハイライト領域のかぶりの抑制とソフトウェア処理の高速化とを両立させる色変換装置及びプログラムを提供する。【解決手段】削減手段４０１は、第１表色系の色空間における格子点に第２表色系の出力値を対応付けたテーブルを有し、第１表色系の入力値に対する第２表色系の出力値を補間する複数の格子点において、負の数の第２表色系の出力値が対応付けられている場合には当該出力値を０に変更するとともに、正の数の第２表色系の出力値が対応付けられている場合には当該出力値を予め定められた規則に従って削減する。出力手段４０２は、削減手段４０１による削減後の第２表色系の出力値を用いた補間により、第１表色系の入力値に対する出力値を出力する。【選択図】図５
2018067839.tif 000002
【特許請求の範囲】
【請求項１】
第１表色系の色空間における格子点に第２表色系の出力値を対応付けたテーブルを有し、前記第１表色系の入力値に対する前記第２表色系の出力値を補間する複数の前記格子点において、負の数の前記第２表色系の出力値が対応付けられている場合には当該出力値を０に変更するとともに、正の数の前記第２表色系の出力値が対応付けられている場合には当該出力値を予め定められた規則に従って削減する削減手段と、
前記削減手段による削減後の前記第２表色系の出力値を用いた補間により、前記第１表色系の入力値に対する出力値を出力する出力手段と
を備える色変換装置。
【請求項２】
前記削減手段は、前記第１表色系の入力値に対する前記第２表色系の出力値を補間する複数の前記格子点に対応付けられた０又は負の数の前記第２表色系の出力値の個数に応じて、正の数の前記第２表色系の出力値の値を削減する
請求項１に記載の色変換装置。
【請求項３】
前記削減手段は、入力された前記第１表色系の入力値に対する前記第２表色系の出力値を補間する複数の前記格子点の各々について、当該格子点に対応付けられた前記第２表色系の出力値の値に応じて、当該出力値の値を削減する
請求項１に記載の色変換装置。
【請求項４】
コンピュータを、
第１表色系の色空間における格子点に第２表色系の出力値を対応付けたテーブルを有し、前記第１表色系の入力値に対する前記第２表色系の出力値を補間する複数の前記格子点において、負の数の前記第２表色系の出力値が対応付けられている場合には当該出力値を０に変更するとともに、正の数の前記第２表色系の出力値が対応付けられている場合には当該出力値を予め定められた規則に従って削減する削減手段と、
前記削減手段による削減後の前記第２表色系の出力値を用いた補間により、前記第１表色系の入力値に対する出力値を出力する出力手段
として機能させるためのプログラム。
【発明の詳細な説明】
【技術分野】
【０００１】
本発明は、色変換装置及びプログラムに関する。
【背景技術】
【０００２】
画像のハイライト領域におけるかぶりを抑制するために、色変換の出力値に負の数を設定する技術が知られている（例えば、特許文献１）。
【先行技術文献】
【特許文献】
【０００３】
【特許文献１】特開２００３−１５３０１７号公報
【発明の概要】
【発明が解決しようとする課題】
【０００４】
色変換の出力値に負の数を設定すると、ソフトウェアでの処理の高速化が困難である。高速化のためには、負の数が設定された出力値を０に変更するという方法が考えられるが、この方法では、出力値が負の数の場合と比べてかぶりが増えてしまう。
本発明は、ハイライト領域のかぶりの抑制とソフトウェア処理の高速化とを両立させることを目的とする。
【課題を解決するための手段】
【０００５】
請求項１に係る発明は、第１表色系の色空間における格子点に第２表色系の出力値を対応付けたテーブルを有し、前記第１表色系の入力値に対する前記第２表色系の出力値を補間する複数の前記格子点において、負の数の前記第２表色系の出力値が対応付けられている場合には当該出力値を０に変更するとともに、正の数の前記第２表色系の出力値が対応付けられている場合には当該出力値を予め定められた規則に従って削減する削減手段と、前記削減手段による削減後の前記第２表色系の出力値を用いた補間により、前記第１表色系の入力値に対する出力値を出力する出力手段とを備える色変換装置を提供する。
請求項２に係る発明は、請求項１に記載の色変換装置において、前記削減手段は、前記第１表色系の入力値に対する前記第２表色系の出力値を補間する複数の前記格子点に対応付けられた０又は負の数の前記第２表色系の出力値の個数に応じて、正の数の前記第２表色系の出力値の値を削減する。
請求項３に係る発明は、請求項１に記載の色変換装置において、前記削減手段は、入力された前記第１表色系の入力値に対する前記第２表色系の出力値を補間する複数の前記格子点の各々について、当該格子点に対応付けられた前記第２表色系の出力値の値に応じて、当該出力値の値を削減する。
請求項４に係る発明は、コンピュータを、第１表色系の色空間における格子点に第２表色系の出力値を対応付けたテーブルを有し、前記第１表色系の入力値に対する前記第２表色系の出力値を補間する複数の前記格子点において、負の数の前記第２表色系の出力値が対応付けられている場合には当該出力値を０に変更するとともに、正の数の前記第２表色系の出力値が対応付けられている場合には当該出力値を予め定められた規則に従って削減する削減手段と、前記削減手段による削減後の前記第２表色系の出力値を用いた補間により、前記第１表色系の入力値に対する出力値を出力する出力手段として機能させるためのプログラムを提供する。
【発明の効果】
【０００６】
請求項１、４に係る発明によれば、ハイライト領域のかぶりの抑制とソフトウェア処理の高速化とを両立させることができる。
請求項２に係る発明によれば、０又は負の数の出力値の個数に応じて、正の数の出力値の削減量を調整することができる
請求項３に係る発明によれば、出力値の値に応じて、出力値の削減量を調整することができる。
【図面の簡単な説明】
【０００７】
【図１】複写機１０の構成を示す図。
【図２】色変換装置４０のハードウェア構成を示す図。
【図３】Ｌ＊ａ＊ｂ＊表色系の色空間を示す図。
【図４】１個の格子点を共有する８個の単位立方体を示す図。
【図５】色変換処理に係る機能ブロックを示す図。
【図６】第２色変換部２２に係る色変換処理の手順を示す流れ図。
【図７】色変換処理の手順を示す流れ図。
【発明を実施するための形態】
【０００８】
＜第１実施形態＞
本発明を実施するための形態の一例について説明する。本実施形態は、本発明を複写機に適用した例である。
【０００９】
図１は、複写機１０の構成を示す図である。複写機１０は、読取部１２、Ａ／Ｄ変換部１４、補正部１６、第１色変換部１８、画像処理部２０、第２色変換部２２、階調補正部２４、画像形成部２６を備える。
【００１０】
読取部１２は、原稿を読み取って原稿の画像を表す画像データを生成する。読取部１２は、複数のＣＣＤ（Charge-Coupled Devices）を備え、Ｒ（Red）、Ｇ（Green）、Ｂ（Blue）の色成分毎の信号を出力する。Ａ／Ｄ変換部１４は、読取部１２の出力信号をデジタルの画像データに変換する。補正部１６は、この画像データにシェーディング補正などを施す。
【００１１】
第１色変換部１８は、補正部１６から供給された画像データに色変換を施す。具体的には、第１色変換部１８は、読取部１２のＣＣＤセンサの特性を示す予め設定されたデータに基づいて、ＲＧＢ表色系の画像データをＬ＊ａ＊ｂ＊表色系の画像データに変換する。
なお、ＲＧＢ表色系はデバイスに依存する第１表色系の一例であり、他の表色系を用いてもよい。また、Ｌ＊ａ＊ｂ＊表色系はデバイスに依存しない第２表色系の一例であり、他の表色系を用いてもよい。
【００１２】
画像処理部２０は、第１色変換部１８による色変換後の画像データに対して画像処理を施す。具体的には、画像処理部２０は、第１色変換部１８から供給されたＬ＊ａ＊ｂ＊表色系の画像データに対して、印刷指示に応じた拡大・縮小処理、ＭＴＦ（Modulation Transfer Function）補正などの先鋭化処理、原稿の種類（藁半紙、再生紙、色紙等）に応じた地肌成分を除去する地肌除去処理などの各種画像処理を施して、第２色変換部２２へ供給する。
【００１３】
第２色変換部２２は、画像処理部２０から供給されたＬ＊ａ＊ｂ＊表色系の画像データをＹＭＣＫ表色系の画像データに変換して階調補正部２４へ供給する。第２色変換部２２は、ＤＬＵＴ（Direct Lookup Table）を備える。このＤＬＵＴは、Ｌ＊、ａ＊、ｂ＊の組合せと、この組合せで表される色をＹ、Ｍ、Ｃ、Ｋの色材を用いて出力するためのＹ、Ｍ、Ｃ、Ｋの各色成分の濃度値の組合せとの対応関係を示す３次元ＬＵＴである。第２色変換部２２の機能は、後述する色変換装置４０によって実現される。
【００１４】
階調補正部２４は、第２色変換部２２から供給された画像データの各画素について、Ｙ、Ｍ、Ｃ、Ｋの各濃度値を階調補正して濃度値Ｙ’、Ｍ’、Ｃ’、Ｋ’に変換し、変換後の画像データを画像形成部２６に供給する。階調補正部２４は、Ｙ、Ｍ、Ｃ、Ｋの各濃度値と、これらの濃度値に対応する濃度の画像を画像形成部２６で形成するための階調補正された濃度値Ｙ’、Ｍ’、Ｃ’、Ｋ’との対応関係を示すＬＵＴを備える。このＬＵＴは、画像形成部２６でテスト用の画像を形成して求めた画像形成部２６の出力特性に基づいて予め設定されている。
【００１５】
画像形成部２６は、階調補正部２４から供給された画像データに基づく画像を、Ｙ、Ｍ、Ｃ、Ｋの色材を用いて記録媒体に形成する。一例として、画像形成部２６は、Ｙ、Ｍ、Ｃ、Ｋの色毎の画像形成ユニットを備える。画像形成ユニットは、感光体と、画像データに基づいて感光体に静電潜像を書き込む書込部と、書き込まれた静電潜像をトナーを用いて現像する現像部と、現像されたトナー像を記録媒体に転写する転写部とを備える。
【００１６】
図２は、色変換装置４０のハードウェア構成を示す図である。色変換装置４０は、制御部４２、記憶部４４、通信部４６を備える。制御部４２は、ＣＰＵ（Central Processing Unit）などの演算装置と、ＲＯＭ（Read Only Memory）やＲＡＭ（Random Access Memory）などの記憶装置とを備える。ＲＯＭには、ハードウェアやＯＳ（Operating System）の起動の手順を記述したファームウェアが記憶される。ＲＡＭには、ＣＰＵが演算を実行する際のデータが記憶される。記憶部４４は、ハードディスク記憶装置や半導体メモリなどを備え、ＯＳやアプリケーションプログラムなどが記憶される。通信部４６は、色変換装置４０と外部との通信Ｉ／Ｆ（Interface）である。色変換装置４０には、色変換処理の手順を記述したソフトウェアがインストールされている。前述した第２色変換部２２の機能は、制御部４２がこのソフトウェアを実行することで実現される。
【００１７】
図３は、Ｌ＊ａ＊ｂ＊表色系の色空間を示す図である。例えば、Ｌ＊ａ＊ｂ＊表色系におけるＬ＊、ａ＊、ｂ＊がいずれも８ビットのデータで表され、０から２５５までの２５６階調の値をとり得る。各座標軸は１６階調ずつの１６領域に分割され、１辺の長さが１６階調に相当する仮想的な単位立方体が形成される。各単位立方体の頂点を、この色空間における格子点と定義する。
【００１８】
画像処理部２０から供給されるＬ＊ａ＊ｂ＊表色系の画像データは、画素毎のＬ＊、ａ＊、ｂ＊の値を示すデータである。Ｌ＊、ａ＊、ｂ＊の上位４ビットにより、このＬ＊、ａ＊、ｂ＊の組合せが含まれる単位立方体が特定され、下位４ビットにより、このＬ＊、ａ＊、ｂ＊の組合せの当該単位立方体内での位置が特定される。
【００１９】
第２色変換部２２に備えられたＤＬＵＴは、各格子点におけるＬ＊、ａ＊、ｂ＊の組合せと、この組合せで表される色をＹ、Ｍ、Ｃ、Ｋの色材を用いて出力するためのＹ、Ｍ、Ｃ、Ｋの各色成分の濃度値の組合せとの対応関係を示す３次元ＬＵＴである。ＤＬＵＴに入力されたＬ＊、ａ＊、ｂ＊の組合せが格子点のいずれかに該当する場合には、その格子点に対応するＹ、Ｍ、Ｃ、Ｋの出力値が出力される。ＤＬＵＴに入力されたＬ＊、ａ＊、ｂ＊の組合せに該当する格子点が存在しない場合には、このＬ＊、ａ＊、ｂ＊の組合せに近接した複数の格子点からの補間によりＹ、Ｍ、Ｃ、Ｋの出力値が求められる。
【００２０】
図４は、１個の格子点を共有する８個の単位立方体を示す図である。ＤＬＵＴに入力されたＬ＊、ａ＊、ｂ＊の組合せに該当する格子点が存在しない場合には、このＬ＊、ａ＊、ｂ＊の組合せに最も近接した格子点Ｐ０が特定される。格子点Ｐ０に隣接する格子点として、６個の格子点Ｐ１乃至Ｐ６が特定される。ＤＬＵＴに入力されたＬ＊、ａ＊、ｂ＊の組合せに対応するＹ、Ｍ、Ｃ、Ｋは、格子点Ｐ０と、格子点Ｐ１乃至Ｐ６のうちの１個以上の格子点との補間によって求められる。なお、補間の手法については公知の手法が用いられるため、その説明は省略する。
【００２１】
図５は、色変換処理に係る機能ブロックを示す図である。削減手段４０１は、第１表色系の色空間における格子点に第２表色系の出力値を対応付けたテーブルを有し、前記第１表色系の入力値に対する前記第２表色系の出力値を補間する複数の前記格子点において、負の数の前記第２表色系の出力値が対応付けられている場合には当該出力値を０に変更するとともに、正の数の前記第２表色系の出力値が対応付けられている場合には当該出力値を予め定められた規則に従って削減する。出力手段４０２は、前記削減手段４０１による削減後の前記第２表色系の出力値を用いた補間により、前記第１表色系の入力値に対する出力値を出力する。具体的には、以下のとおりである。
【００２２】
図６は、第２色変換部２２に係る色変換処理の手順を示す流れ図である。この色変換処理は、色変換装置４０の制御部４２がソフトウェアを実行することで実現される。画像処理部２０から供給されたＬ＊ａ＊ｂ＊表色系の画像データにおける各画素について、Ｙ、Ｍ、Ｃ、Ｋの色成分毎に、図示した流れ図に従う処理が実行される。以下の説明では、Ｙ成分を出力する例を示すが、Ｍ、Ｃ、Ｋの各成分についても同様の処理が行われる。
【００２３】
＜ステップＡ０１＞
制御部４２が、Ｌ＊、ａ＊、ｂ＊の値を取得する。具体的には、画像処理部２０から供給されたＬ＊ａ＊ｂ＊表色系の画像データから、１個の画素のＬ＊、ａ＊、ｂ＊の値を取得する。
【００２４】
＜ステップＡ０２＞
制御部４２が、Ｌ＊、ａ＊、ｂ＊の組合せに最も近接した格子点Ｐ０を特定する。
【００２５】
＜ステップＡ０３＞
制御部４２が、格子点Ｐ０近傍の６個の格子点Ｐ１乃至Ｐ６を特定する。
【００２６】
＜ステップＡ０４＞
制御部４２が、格子点Ｐ０の出力値Ｙが正の値であるか否かを判定する。出力値Ｙが正の値である場合（ステップＡ０４：ＹＥＳ）には、制御部４２は処理を終了する。出力値Ｙが正の値でない場合（ステップＡ０４：ＮＯ）には、制御部４２の処理はステップＡ０５に進む。
【００２７】
＜ステップＡ０５＞
制御部４２が、格子点Ｐ０の出力値Ｙを０に変更する。
【００２８】
＜ステップＡ０６＞
制御部４２が、格子点Ｐ０近傍の６個の格子点Ｐ１乃至Ｐ６について、０又は負の出力値Ｙの個数をカウントする。０又は負の出力値Ｙの個数が０の場合（ステップＡ０６：個数＝０）には、制御部４２の処理はステップＡ１０に進む。０又は負の出力値Ｙの個数が１、２、３、４、５、６の場合（ステップＡ０６：個数＝１、２、３、４、５、６）には、制御部４２の処理はそれぞれステップＡ１１、Ａ１２、Ａ１３、Ａ１４、Ａ１５、Ａ１６に進む。
【００２９】
＜ステップＡ１０＞
制御部４２が、出力値Ｙの再計算を行わない。
【００３０】
＜ステップＡ１１＞
制御部４２が、出力値Ｙに５／６を乗算する。その結果、出力値Ｙがおよそ１７％削減される。ただし、負の出力値Ｙは０に変更する。
【００３１】
＜ステップＡ１２＞
制御部４２が、出力値Ｙに４／６を乗算する。その結果、出力値Ｙがおよそ３４％削減される。ただし、負の出力値Ｙは０に変更する。
【００３２】
＜ステップＡ１３＞
制御部４２が、出力値Ｙに３／６を乗算する。その結果、出力値Ｙがおよそ５０％削減される。ただし、負の出力値Ｙは０に変更する。
【００３３】
＜ステップＡ１４＞
制御部４２が、出力値Ｙに２／６を乗算する。その結果、出力値Ｙがおよそ６７％削減される。ただし、負の出力値Ｙは０に変更する。
【００３４】
＜ステップＡ１５＞
制御部４２が、出力値Ｙに１／６を乗算する。その結果、出力値Ｙがおよそ８３％削減される。ただし、負の出力値Ｙは０に変更する。
【００３５】
＜ステップＡ１６＞
制御部４２が、出力値Ｙを０に変更する。
換言すると、ステップＡ１１乃至Ａ１６の処理は、出力値Ｙに（６−ｎ）／６を乗算する処理である（ｎは、０又は負の出力値Ｙの個数）。以上が、色変換処理の手順である。
【００３６】
次に、上記の手順に従った具体例を説明する。ステップＡ０１で取得されたＬ＊、ａ＊、ｂ＊に対して、ステップＡ０２で下記の格子点Ｐ０が特定され、ステップＡ０３で下記の格子点Ｐ１乃至Ｐ６が特定されたとする。ここでは、（Ｌ＊、ａ＊、ｂ＊：Ｙ）の順に記載している。また、理解を容易にするために、Ｌ＊、ａ＊、ｂ＊を１０階調間隔の値とした（図３では１６階調間隔）。
Ｐ０（  ９０、−１０、    ０：−５）
Ｐ１（  ８０、−１０、    ０：１０）
Ｐ２（  ９０、−２０、    ０：  ５）
Ｐ３（  ９０、−１０、  １０：  ５）
Ｐ４（  ９０、−１０、−１０：  ５）
Ｐ５（  ９０、    ０、    ０：−５）
Ｐ６（１００、−１０、    ０：  ０）
【００３７】
格子点Ｐ０の出力値Ｙが正の数でないから（ステップＡ０４：ＮＯ）、格子点Ｐ０の出力値Ｙが０に変更される（ステップＡ０５）。次に、格子点Ｐ１乃至Ｐ６について、０又は負の出力値Ｙの個数をカウントすると２であるから（ステップＡ０６：個数＝２）、出力値Ｙに４／６が乗算される（ステップＡ１２）。負の出力値Ｙは０に変更される（格子点Ｐ５）。その結果、各格子点の出力値は下記のように設定される。なお、この例では、出力値Ｙを四捨五入により小数第１位まで求めた。
Ｐ０（  ９０、−１０、    ０：  ０）
Ｐ１（  ８０、−１０、    ０：  ６．７）
Ｐ２（  ９０、−２０、    ０：  ３．３）
Ｐ３（  ９０、−１０、  １０：  ３．３）
Ｐ４（  ９０、−１０、−１０：  ３．３）
Ｐ５（  ９０、    ０、    ０：  ０）
Ｐ６（１００、−１０、    ０：  ０）
【００３８】
本実施形態によれば、負の出力値が０に変更されるから、処理速度が高速化される。また、正の出力値が削減されるから、背景のかぶりが抑制される。よって、本実施形態によれば、処理速度の高速化と背景のかぶりの抑制が両立される。
【００３９】
＜第２実施形態＞
図７は、色変換処理の手順を示す流れ図である。第２実施形態に係る色変換処理は、第１実施形態に係る色変換処理と異なる手順を有する。以下の説明では、Ｙ成分を出力する例を示すが、Ｍ、Ｃ、Ｋの各成分についても同様の処理が行われる。
【００４０】
＜ステップＢ０１＞
制御部４２が、Ｌ＊、ａ＊、ｂ＊の値を取得する。具体的には、画像処理部２０から供給されたＬ＊ａ＊ｂ＊表色系の画像データから、１個の画素のＬ＊、ａ＊、ｂ＊の値を取得する。
【００４１】
＜ステップＢ０２＞
制御部４２が、Ｌ＊、ａ＊、ｂ＊の組合せに最も近接した格子点Ｐ０を特定する。
【００４２】
＜ステップＢ０３＞
制御部４２が、格子点Ｐ０近傍の６個の格子点Ｐ１乃至Ｐ６を特定する。
【００４３】
＜ステップＢ０４＞
制御部４２が、格子点Ｐ０の出力値Ｙが正の値であるか否かを判定する。出力値Ｙが正の値である場合（ステップＢ０４：ＹＥＳ）には、制御部４２は処理を終了する。出力値Ｙが正の値でない場合（ステップＢ０４：ＮＯ）には、制御部４２の処理はステップＢ０５に進む。
【００４４】
＜ステップＢ０５＞
制御部４２が、次式により出力値Ｙを求める。
Ｙ＝Ｔ×（Ｔ／（Ｔ＋｜Ｓ｜））          式（１）
ただし、
Ｓ：格子点Ｐ０の出力値Ｙ、
Ｔ：格子点Ｐ１乃至Ｐ６の出力値Ｙ
Ｓ、Ｔともに０又は負の数である場合は、出力値Ｙを０に変更する。
【００４５】
＜ステップＢ０６＞
制御部４２が、格子点Ｐ０の出力値Ｙを０に変更する。
【００４６】
次に、上記の手順に従った具体例を説明する。ステップＢ０１で取得されたＬ＊、ａ＊、ｂ＊に対して、ステップＢ０２で下記の格子点Ｐ０が特定され、ステップＢ０３で下記の格子点Ｐ１乃至Ｐ６が特定されたとする。
Ｐ０（  ９０、−１０、    ０：−５）
Ｐ１（  ８０、−１０、    ０：１０）
Ｐ２（  ９０、−２０、    ０：  ５）
Ｐ３（  ９０、−１０、  １０：  ５）
Ｐ４（  ９０、−１０、−１０：  ５）
Ｐ５（  ９０、    ０、    ０：−５）
Ｐ６（１００、−１０、    ０：  ０）
【００４７】
格子点Ｐ０の出力値Ｙが正の数でないから（ステップＢ０４：ＮＯ）、式（１）により出力値Ｙが求められ（ステップＢ０５）、格子点Ｐ０の出力値Ｙが０に変更される（ステップＢ０６）。その結果、各格子点の出力値は下記のように設定される。なお、この例では、出力値Ｙを四捨五入により小数第１位まで求めた。
Ｐ０（  ９０、−１０、    ０：０）
Ｐ１（  ８０、−１０、    ０：６．７）
Ｐ２（  ９０、−２０、    ０：２．５）
Ｐ３（  ９０、−１０、  １０：２．５）
Ｐ４（  ９０、−１０、−１０：２．５）
Ｐ５（  ９０、    ０、    ０：０）
Ｐ６（１００、−１０、    ０：０）
【００４８】
本実施形態によれば、補間に用いる格子点の負の出力値の絶対値が大きいほど出力値の削減量が大きくなる。
【００４９】
上記の実施形態を以下のように変形してもよい。
＜変形例１＞
実施形態では、第２色変換部２２に係る色変換処理を色変換装置４０がソフトウェアで実現する例を示したが、第１色変換部１８、画像処理部２０、階調補正部２４などに係る処理の一部又は全部をソフトウェアで実現する構成が色変換装置４０に兼ね備えられてもよい。また、複写機１０の全体を制御する制御装置に色変換装置４０の機能が備えられてもよい。
【００５０】
＜変形例２＞
上記の実施形態では、本発明を複写機に適用した例を示したが、外部から取得したＰＤＬ（ページ記述言語）データやビットマップデータに基づく画像を形成する画像形成装置に本発明を適用してもよい。
【符号の説明】
【００５１】
１０…複写機、１２…読取部、１４…Ａ／Ｄ変換部、１６…補正部、１８…第１色変換部、２０…画像処理部、２２…第２色変換部、２４…階調補正部、２６…画像形成部、４０…色変換装置、４２…制御部、４４…記憶部、４６…通信部
【図１】
2018067839.tif 000003
【図２】
2018067839.tif 000004
【図３】
2018067839.tif 000005
【図４】
2018067839.tif 000006
【図５】
2018067839.tif 000007
【図６】
2018067839.tif 000008
【図７】
2018067839.tif 000009